(57)【要約】  輝度ムラを低減できる発光モジュールを提供する。発光モジュール（１０）は、一方向に延びた素子基板（１１）と、素子基板（１１）の長手方向に並んで実装された複数のＬＥＤ（１２）と、を備え、素子基板（１１）の長手方向の端面（１１ａ）が短手方向の端面（１１ｂ）に対して傾斜する傾斜面（１１ｃ）を有する。
2016063626.tif 000002
【特許請求の範囲】
【請求項１】
一方向に延びた素子基板と、
前記素子基板の長手方向に並んで実装された複数の発光素子と、
を備え、前記素子基板の長手方向の端面が短手方向の端面に対して傾斜する傾斜面を有することを特徴とする発光モジュール。
【請求項２】
前記長手方向の両端面にそれぞれ形成した前記傾斜面の前記短手方向の端面に対する傾斜角度が異なることを特徴とする請求項１に記載の発光モジュール。
【請求項３】
前記長手方向の一方の端面が前記短手方向の端面に対する傾斜角度の異なる複数の前記傾斜面を有することを特徴とする請求項１または請求項２に記載の発光モジュール。
【請求項４】
前記傾斜面が前記短手方向の端面に垂直な垂直面に連続して形成され、前記垂直面の前記短手方向の長さが前記傾斜面の前記短手方向の長さよりも長いことを特徴とする請求項１〜請求項３のいずれかに記載の発光モジュール。
【請求項５】
前記素子基板の前記長手方向にネジ止め用の丸孔と長孔とを並設するとともに、前記素子基板の前記長手方向の一端部に雄コネクタを設け、他端部に雌コネクタを設けたことを特徴とする請求項１〜請求項４のいずれかに記載の発光モジュール。
【発明の詳細な説明】
【技術分野】
【０００１】
本発明は、素子基板に発光素子を実装した発光モジュールに関する。
【背景技術】
【０００２】
従来の発光モジュールは特許文献１に開示されている。この発光モジュールは矩形形状の素子基板を有し、素子基板には長手方向に所定の周期で並んで複数のＬＥＤ（発光素子）が実装される。素子基板の長手方向の両端のコーナー部には連結部が設けられる。【０００３】
複数の発光モジュールは居室内の天井面に取り付けられた円筒形状の筐体に平面視で長手方向を周方向として環状に並べて配置される。この時、互いに隣接する発光モジュールは連結部により連結される。また、一の発光モジュールは電源に接続される。これにより、天井面に設置される照明装置が構成される。【０００４】
そして、一の発光モジュールに電力が供給されると連結部を介して他の発光モジュールにも電力が供給され、各々の発光モジュールのＬＥＤから光が出射される。これにより、略円形の配光を得ることができ、居室内を照明することができる。
【先行技術文献】
【特許文献】
【０００５】
【特許文献１】特開２０１３−３８０１８号公報（第７頁〜第１０頁、第２図、第４図）
【発明の概要】
【発明が解決しようとする課題】
【０００６】
しかしながら、上記従来の複数の発光モジュールを平面視で環状に並べて配置すると、異なる発光モジュール間で隣接するＬＥＤ間の距離が一の発光モジュール内で隣接するＬＥＤ間の距離よりも長くなる。このため、隣接する発光モジュール間の領域の輝度が発光モジュール内の輝度よりも低くなり、照明装置の輝度ムラが生じる問題があった。【０００７】
本発明は、輝度ムラを低減できる発光モジュールを提供することを目的とする。
【課題を解決するための手段】
【０００８】
上記目的を達成するために本発明の発光モジュールは、一方向に延びた素子基板と、前記素子基板の長手方向に並んで実装された複数の発光素子と、を備え、前記素子基板の長手方向の端面が短手方向の端面に対して傾斜する傾斜面を有することを特徴としている。【０００９】
また本発明は、上記構成の発光モジュールにおいて、前記長手方向の両端面にそれぞれ形成した前記傾斜面の前記短手方向の端面に対する傾斜角度が異なると好ましい。【００１０】
また本発明は、上記構成の発光モジュールにおいて、前記長手方向の一方の端面が前記短手方向の端面に対する傾斜角度の異なる複数の前記傾斜面を有すると好ましい。【００１１】
また本発明は、上記構成の発光モジュールにおいて、前記傾斜面が曲面から成ると好ましい。【００１２】
また本発明は、上記構成の発光モジュールにおいて、前記傾斜面が前記短手方向の端面に垂直な垂直面に連続して形成され、前記垂直面の前記短手方向の長さが前記傾斜面の前記短手方向の長さよりも長いと好ましい。【００１３】
また本発明は、上記構成の発光モジュールにおいて、前記素子基板の前記長手方向にネジ止め用の丸孔と長孔とを並設するとともに、前記素子基板の前記長手方向の一端部に雄コネクタを設け、他端部に雌コネクタを設けると好ましい。【００１４】
本発明は、上記構成の複数の発光モジュールを環状に配置した照明装置において、前記傾斜面が隣接する前記素子基板に近接することを特徴としている。【００１５】
また本発明は、上記構成の照明装置において、前記発光素子が所定の周期で前記素子基板に実装され、異なる前記発光モジュール間で隣接する前記発光素子間の距離が前記周期に略等しいとより好ましい。
【発明の効果】
【００１６】
本発明の発光モジュールによると、素子基板の長手方向に並んで実装された複数の発光素子を備え、素子基板の長手方向の端面が短手方向の端面に対して傾斜する傾斜面を有する。これにより、例えば複数の発光モジュールを長手方向を周方向にして環状に並べる際に、矩形形状の素子基板の場合よりも、異なる発光モジュール間で隣接する発光素子間の距離を短くすることができる。したがって、異なる発光モジュール間の領域の輝度低下を防止して、発光モジュールを備えた照明装置の輝度ムラを低減することができる。
【図面の簡単な説明】
【００１７】
【図１】本発明の第１実施形態の発光モジュールを備えた照明装置の斜視図
【図２】本発明の第１実施形態の発光モジュールを備えた照明装置の平面図
【図３】本発明の第１実施形態の発光モジュールを示す平面図
【図４】本発明の第２実施形態の発光モジュールを示す平面図
【図５】本発明の第３実施形態の発光モジュールを示す平面図
【図６】本発明の第４実施形態の発光モジュールを示す平面図
【図７】本発明の第５実施形態の発光モジュールを示す平面図
【発明を実施するための形態】
【００１８】
＜第１実施形態＞  
以下に本発明の実施形態を図面を参照して説明する。図１及び図２は第１実施形態の発光モジュールを備えた照明装置の斜視図及び平面図をそれぞれ示している。なお、図２はランプカバー３が取り外されている様子を示している。照明装置１は居室内の天井面に取り付けられるシーリングライトであり、開口部２ａを有する有底円筒形状の筐体２と、筐体２の底面２ｂに配置される複数の発光モジュール１０とを有する。開口部２ａは半透明の樹脂から成る円形のランプカバー３により塞がれる。ランプカバー３は筐体２に対して着脱可能になっている。筐体２を居室内の天井面に取り付けることにより照明装置１は天井面に設置される。
【００１９】
図３は発光モジュール１０の平面図を示している。発光モジュール１０は一方向に延びる素子基板１１と、素子基板１１の長手方向に所定の周期Ｄ１で並んで実装された複数のＬＥＤ１２（発光素子）とを有する。素子基板１１は例えばエポキシ樹脂のプリント配線基板により形成される。素子基板１１の長手方向の一方の端面１１ａは短手方向の端面１１ｂに対して傾斜する傾斜面１１ｃを有し、長手方向の他方の端面１１ａは端面１１ｂに垂直な垂直面１１ｇから成る。
【００２０】
傾斜面１１ｃは平面から成り、傾斜面１１ｃの端面１１ｂに対する傾斜角度θ１は４５°に形成される。傾斜面１１ｃは端面１１ｂに垂直な垂直面１１ｇに連続して形成される。垂直面１１ｇの素子基板１１の短手方向の長さＬ１は傾斜面１１ｃの素子基板１１の短手方向の長さＬ２よりも長くなっている。これにより、傾斜面１１ｃを設けても素子基板１１にＬＥＤ１２、後述の雄コネクタ１４や雌コネクタ１５を実装するスペースを十分確保することができる。
【００２１】
素子基板１１の長手方向には貫通した丸孔１１ｄと貫通した長孔１１ｅとが並設される。丸孔１１ｄ及び長孔１１ｅにネジ（不図示）を挿通して素子基板１１を筐体２の底面２ｂ（図２参照）にネジ止めする。この時、ネジは長孔１１ｅに遊嵌される。
【００２２】
ＬＥＤ１２は、例えば青色を単色発光する青色発光ダイオードチップの表面に青色光を黄色光に変換する蛍光体を含む蛍光塗料を塗布して形成される。これにより、ＬＥＤ１２から出射された青色光の一部が黄色光に変換され、青色光と黄色光とが混合されて白色光として出射される。また、異なる発光モジュール１０間で隣接するＬＥＤ１２間の距離Ｄ２は周期Ｄ１に略等しくなっている。
【００２３】
また、ＬＥＤ１２の出射面側には拡散レンズ１３が配される。ＬＥＤ１２から出射された光の配光を拡散レンズ１３により広げることができる。
【００２４】
素子基板１１の長手方向の一端部及び他端部にはそれぞれ雄コネクタ１４及び雌コネクタ１５が取り付けられる。雄コネクタ１４はプラグ部１４ａを有し、傾斜面１１ｃを有さない端面１１ａ側の垂直面１１ｇの近傍に取り付けられる。雌コネクタ１５はプラグ部１４が挿入されるソケット部（不図示）を有し、傾斜面１１ｃの近傍に取り付けられる。
【００２５】
発光モジュール１０の傾斜面１１ｃを有さない端面１１ａ側の垂直面１１ｇを異なる発光モジュール１０の傾斜面１１ｃに対向して近接させ、雄コネクタ１４のプラグ部１４ａを雌コネクタ１５のソケット部に挿入して各々の発光モジュール１０を連結する。これにより、図２に示すように８個の発光モジュール１０は平面視で長手方向を周方向とした略正八角形状に配置される。
【００２６】
この時、一の発光モジュール１０の素子基板１１は電源回路（不図示）に接続される。なお、各々の発光モジュール１０の素子基板１１を電源回路に接続してもよい。この場合には、発光モジュール１０から雄コネクタ１４及び雌コネクタ１５を省くことができる。
【００２７】
また、雄コネクタ１４及び雌コネクタ１５に替えて、互いに隣接する発光モジュール１０を電線（不図示）により連結してもよい。この場合、金属の線材を素子基板１１のランドにハンダ付けして隣接する発光モジュール１０を連結する。これにより、後述のようにＬＥＤ１２の発熱による素子基板１１の熱膨張が発生した場合に、線材が曲がることにより応力を吸収することができる。なお、コネクタを有するハーネスケーブルで隣接する発光モジュール１０を連結してもよい。また、素子基板１１のランドに設けたコネクタに単芯のケーブル等を接続して隣接する発光モジュール１０を連結してもよい。
【００２８】
上記構成の照明装置１において、電源回路から一の発光モジュール１０に電力が供給されると、雄コネクタ１４及び雌コネクタ１５を介して他の発光モジュール１０にも電力が供給される。これにより、各々の発光モジュール１０のＬＥＤ１２から白色光が出射され、居室内が照明される。
【００２９】
この時、複数（本実施形態では８個）の発光モジュール１０が平面視で長手方向を周方向として略正八角形状に並べて配置されているため、略円形の配光を得ることができる。また、傾斜面１１ｃが隣接する素子基板１１の垂直面１１ｇに近接しているため、隣接する発光モジュール１０間の領域での輝度低下を防止することができる。したがって、照明装置１の輝度ムラを低減することができ、居室内を略均一に照明することができる。
【００３０】
なお、本実施形態では、８個の発光モジュール１０を平面視で略正八角形状に並べて配置しているが、傾斜面１１ｃの傾斜角度θ１を例えば３０°、５４°及び６０°に形成すれば、それぞれ略正六角形状、略正十角形状及び正十二角形状に並べて配置することができる。すなわち、以下の式（１）を満足するとｎ個の発光モジュール１０を平面視で略正ｎ角形状に配置することができる。これにより、輝度ムラを防止しながら複数の発光モジュール１０を環状に配置することができる。
【００３１】
θ１＝９０−３６０／ｎ・・・（１）
【００３２】
発光モジュール１０に通電すると、ＬＥＤ１２の発熱により素子基板１１は熱膨張する。そして、発光モジュール１０への通電が終了すると、熱膨張した素子基板１１は収縮して元の大きさに戻る。この時、ネジは長孔１１ｅに遊嵌されているため、素子基板１１は雄コネクタ１４のプラグ部１４ａの抜差し方向と同じ素子基板１１の長手方向に伸張する。これにより、雄コネクタ１４と雌コネクタ１５との間の寸法誤差を吸収することができ、雄コネクタ１４と雌コネクタ１５との導通を維持することができる。
【００３３】
本実施形態によると、素子基板１１の長手方向の端面１１ａが短手方向の端面１１ｂに対して傾斜する傾斜面１１ｃを有する。これにより、複数の発光モジュール１０を平面視で長手方向を周方向にして環状に並べる際に、矩形形状の素子基板の場合と比較して、異なる発光モジュール１０間で隣接するＬＥＤ１２（発光素子）間の距離を短くすることができる。したがって、異なる発光モジュール１０間の領域の輝度低下を防止して、照明装置１の輝度ムラを低減することができる。
【００３４】
また、傾斜面１１ｃが素子基板１１の短手方向の端面１１ｂに垂直な垂直面１１ｇに連続して形成され、垂直面１１ｇの素子基板１１の短手方向の長さＬ１が傾斜面１１ｃの素子基板１１の短手方向の長さＬ２よりも長い。これにより、傾斜面１１ｃを設けてもＬＥＤ１２、雄コネクタ１４や雌コネクタ１５等を配置するスペースを素子基板１１に十分に確保することができる。
【００３５】
また、素子基板１１の長手方向にネジ止め用の丸孔１１ｄと長孔１１ｅとを並設するとともに、素子基板１１の長手方向の一端部に雄コネクタ１４を設け、他端部に雌コネクタ１５を設けている。これにより、素子基板１１の熱膨張や収縮の際に、雄コネクタ１４と雌コネクタ１５との間の寸法誤差を吸収することができ、雄コネクタ１４と雌コネクタ１５との導通を維持することができる。
【００３６】
また、傾斜面１１ｃが隣接する素子基板１１に近接するため、異なる発光モジュール１０間で隣接するＬＥＤ１２間の距離を容易に短くすることができる。
【００３７】
また、ＬＥＤ１２（発光素子）が所定の周期Ｄ１で素子基板１１に実装され、異なる発光モジュール１０間で隣接するＬＥＤ１２間の距離Ｄ２が周期Ｄ１に略等しい。これにより、照明装置１の輝度ムラを容易に低減することができる。
【００３８】
なお、距離Ｄ２は周期Ｄ１よりも短くてもよい。素子基板１１の長手方向の一端部及び他端部にはそれぞれ雄コネクタ１４及び雌コネクタ１５が配されるため、素子基板１１の長手方向の端部のＬＥＤ１２の出射光の一部は雄コネクタ１４や雌コネクタ１５に当たる。このため、距離Ｄ２が周期Ｄ１よりも短くても、隣接する発光モジュール１０間の領域の輝度は発光モジュール１０内の輝度よりも大きくなりにくい。したがって、この場合でも照明装置１の輝度ムラを低減することができる。
【００３９】
＜第２実施形態＞
次に、本発明の第２実施形態について説明する。図４は本実施形態の発光モジュールの平面図を示している。説明の便宜上、前述の図１〜図３に示した第１実施形態と同様の部分には同一の符号を付している。本実施形態では、素子基板１１の長手方向の両端面１１ａに傾斜面１１ｃを形成している点で第１実施形態とは異なっている。その他の部分は第１実施形態と同様である。
【００４０】
素子基板１１の長手方向の両方の端面１１ａには短手方向の端面１１ｂに対する傾斜角度θ２、θ３がそれぞれ７０°、５０°の傾斜面１１ｃが形成される。すなわち、２つの傾斜面１１ｃの傾斜角度は互いに異なっている。なお、傾斜角度θ２、θ３は同じであってもよい。
【００４１】
傾斜角度θ３の傾斜面１１ｃ側の垂直面１１ｇと傾斜角度θ２の傾斜面１１ｃとを対向して近接させ、１８個の発光モジュール１０を平面視で略正十八角形状に配置することができる。また、傾斜角度θ２の傾斜面１１ｃ側の垂直面１１ｇと傾斜角度θ３の傾斜面１１ｃとを対向して近接させ、９個の発光モジュール１０を平面視で略正九角形状に配置することができる。
【００４２】
また、傾斜角度θ２、θ３の傾斜面１１ｃを互いに対向して近接させ、６個の発光モジュール１０を平面視で略正六角形状に配置することができる。すなわち、以下の式（２）を満足するとｎ個の発光モジュール１０を平面視で略正ｎ角形状に配置することができる。これにより、輝度ムラを防止しながら複数の発光モジュール１０を環状に配置することができる。
【００４３】
θ２＋θ３＝１８０−３６０／ｎ・・・（２）
【００４４】
本実施形態によると、第１実施形態と同様の効果を得ることができる。また、素子基板１１の長手方向の両端面１１ａにそれぞれ形成した傾斜面１１ｃの短手方向の端面１１ｂに対する傾斜角度が異なる。これにより、発光モジュール１０の配置が異なる複数種類の照明装置１に対して素子基板１１を共通化することができる。したがって、照明装置１の製造コストを削減することができる。
【００４５】
＜第３実施形態＞
次に、本発明の第３実施形態について説明する。図５は本実施形態の発光モジュールの平面図を示している。説明の便宜上、前述の図１〜図３に示した第１実施形態と同様の部分には同一の符号を付している。本実施形態では、素子基板１１の長手方向の両端面１１ａに傾斜面１１ｃを形成し、一方の端面１１ａに複数の傾斜面１１ｃを形成している点で第１実施形態とは異なっている。その他の部分は第１実施形態と同様である。
【００４６】
素子基板１１の長手方向の一方の端面１１ａは短手方向の端面１１ｂに対する傾斜角度θ５、θ６がそれぞれ３０°、６０°の傾斜面１１ｃを有し、長手方向の他方の端面１１ａは傾斜角度θ４が４５°の傾斜面１１ｃを有する。
【００４７】
傾斜角度θ６の傾斜面１１ｃ側の垂直面１１ｇと傾斜角度θ４の傾斜面１１ｃとを対向して近接させ、８個の発光モジュール１０を平面視で略正八角形状に配置することができる。また、傾斜角度θ４の傾斜面１１ｃ側の垂直面１１ｇと傾斜角度θ５の傾斜面１１ｃとを対向して近接させ、６個の発光モジュール１０を平面視で略正六角形状に配置することができる。また、傾斜角度θ４の傾斜面１１ｃ側の垂直面１１ｇと傾斜角度θ６の傾斜面１１ｃとを対向して近接させ、１２個の発光モジュール１０を平面視で略正十二角形状に配置することができる。
【００４８】
本実施形態によると、第１実施形態と同様の効果を得ることができる。また、素子基板１１の長手方向の一方の端面１１ａが短手方向の端面１１ｂに対する傾斜角度の異なる複数の傾斜面１１ｃを有する。これにより、発光モジュール１０の配置が異なる複数種類の照明装置１に対して素子基板１１を共通化することができる。したがって、照明装置１の製造コストを削減することができる。
【００４９】
なお、本実施形態において、素子基板１１の長手方向の両方の端面１１ａが短手方向の端面１１ｂに対する傾斜角度が異なる複数の傾斜面１１ｃを有してもよい。
【００５０】
＜第４実施形態＞
次に、本発明の第４実施形態について説明する。図６は本実施形態の発光モジュール１０の平面図を示している。説明の便宜上、前述の図１〜図３に示した第１実施形態と同様の部分には同一の符号を付している。本実施形態では、傾斜面１１ｃの形状が第１実施形態とは異なっている。その他の部分は第１実施形態と同様である。
【００５１】
素子基板１１の長手方向の一方の端面１１ａは曲面から成る傾斜面１１ｃを有する。曲面の傾斜面１１ｃと垂直面１１ｇとを対向して近接させ、複数の発光モジュール１０を平面視で環状に配置することができる。
【００５２】
なお、素子基板１１の長手方向の両方の端面１１ａが曲面から成る傾斜面１１ｃを有してもよい。この場合には、曲面の傾斜面１１ｃを互いに対向して近接させ、複数の発光モジュール１０を平面視で環状に配置することもできる。
【００５３】
本実施形態によると、第１実施形態と同様の効果を得ることができる。また、傾斜面１１ｃが曲面から成るため、平面から成る傾斜面１１ｃの場合と比較して、照明装置１の輝度ムラを低減しながら発光モジュール１０の多彩なレイアウトを容易に実現することができる。また、発光モジュール１０の配置が異なる複数種類の照明装置１に対して素子基板１１を共通化することができる。したがって、照明装置１の製造コストを削減することができる。
【００５４】
＜第５実施形態＞
次に、本発明の第５実施形態について説明する。図７は本実施形態の発光モジュール１０の平面図を示している。説明の便宜上、前述の図１〜図３に示した第１実施形態と同様の部分には同一の符号を付している。本実施形態では、素子基板１１の長手方向の一方の端面１１ａが傾斜面１１ｃから成る点で第１実施形態とは異なっている。その他の部分は第１実施形態と同様である。
【００５５】
素子基板１１の長手方向の一方の端面１１ａは傾斜角度θ７、θ８の傾斜面１１ｃから成り、垂直面１１ｇが省かれている。傾斜角度θ７、θ８はそれぞれ７０°、５０°に形成される。
【００５６】
傾斜角度θ７の傾斜面１１ｃと垂直面１１ｇとを対向して近接させ、１８個の発光モジュール１０を平面視で略正十八角形状に配置することができる。また、傾斜角度θ８の傾斜面１１ｃと垂直面１１ｇとを対向して近接させ、９個の発光モジュール１０を平面視で略正九角形状に配置することができる。
【００５７】
本実施形態によると、第１実施形態と同様の効果を得ることができる。また、発光モジュール１０の配置が異なる複数種類の照明装置１に対して素子基板１１を共通化することができる。したがって、照明装置１の製造コストを削減することができる。
【００５８】
なお、本実施形態において、素子基板１１の長手方向の一方の端面１１ａが傾斜角度の異なる複数の傾斜面１１ｃから成っているが、１つの傾斜面１１ｃから成ってもよい。また、素子基板１１の長手方向の両方の端面１１ａを傾斜面１１ｃにより形成し、垂直面１１ｇを省いてもよい。
【００５９】
第１〜第５実施形態において、照明装置１としてシーリングライトを例に説明したが、例えば机上や床面等に設置されるスタンドライト、液晶表示装置のバックライトや屋外照明装置に発光モジュール１０を配置してもよい。
【産業上の利用可能性】
【００６０】
本発明は、発光素子を実装した素子基板を備える発光モジュールに利用することができる。
【符号の説明】
【００６１】
１      照明装置
２      筐体
３      ランプカバー
１０    発光モジュール
１１    素子基板
１１ａ、１１ｂ  端面
１１ｃ  傾斜面
１１ｄ  丸孔
１１ｅ  長孔
１１ｇ  垂直面
１２    ＬＥＤ（発光素子）
１３    拡散レンズ
１４    雄コネクタ
１５    雌コネクタ
【図１】
2016063626.tif 000003
【図２】
2016063626.tif 000004
【図３】
2016063626.tif 000005
【図４】
2016063626.tif 000006
【図５】
2016063626.tif 000007
【図６】
2016063626.tif 000008
【図７】
2016063626.tif 000009
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
一方向に延びた素子基板と、前記素子基板の長手方向に一直線上に並んで実装された複数の発光素子と、を備え、前記素子基板の長手方向の両端面が短手方向の端面に対して傾斜する複数の傾斜面を有し、各前記傾斜面はそれぞれ隣接する前記短手方向の端面に連続して形成されるとともに、複数の前記傾斜面の前記短手方向の端面に対する傾斜角度が互いに異なり、前記傾斜角度が互いに異なる前記長手方向の端面同士を互いに近接対向させて複数の前記素子基板を配置することを特徴とする発光モジュール。
【請求項２】
前記傾斜角度が鈍角に形成されることを特徴とする請求項１に記載の発光モジュール。
【請求項３】
前記長手方向の一方又は両方の端面の一の前記傾斜面が他の前記傾斜面に連続して形成されることを特徴とする請求項１または請求項２に記載の発光モジュール。
【請求項４】
前記傾斜面が前記短手方向の端面に垂直な垂直面に連続して形成され、前記垂直面の前記短手方向の長さが前記傾斜面の前記短手方向の長さよりも長いことを特徴とする請求項１または請求項２に記載の発光モジュール。
【手続補正書】
【提出日】平成29年4月3日(2017.4.3)
【手続補正１】
【補正対象書類名】明細書
【補正対象項目名】００２４
【補正方法】変更
【補正の内容】
【００２４】
素子基板１１の長手方向の一端部及び他端部にはそれぞれ雄コネクタ１４及び雌コネクタ１５が取り付けられる。雄コネクタ１４はプラグ部１４ａを有し、傾斜面１１ｃを有さない端面１１ａ側の垂直面１１ｇの近傍に取り付けられる。雌コネクタ１５はプラグ部１４ａが挿入されるソケット部（不図示）を有し、傾斜面１１ｃの近傍に取り付けられる。
【国際調査報告】
2016063626.tif 000010
2016063626.tif 000011